(57)【要約】【課題】モータ内部への水の浸入を防ぐことで水抜き構造を抹消し、水抜き構造からの異物の侵入を防ぐことで、異常な音の発生等を防止することができることを目的とする。【解決手段】モータ３には電源接続用の端子部７を設け、端子部７に電気的に接続したコネクタ９を通してモータに電源供給する換気装置において、モータ３の外郭に端子部７前方に開口８を設け、コネクタ９に設けた壁部１３が開口８の内部に配置するという構成にしたことにより、モータ外郭１４を伝ってきた水が壁部１３に接してせき止めるため、モータ３内部への水の浸入を防ぎ、モータ３の水抜き構造を抹消することが出来るので、水抜き構造からのモータ３内部への埃等の異物の浸入を防止することが出来る換気装置を得られる。【選択図】図１
2015187531.tif 000002
【特許請求の範囲】
【請求項１】
室内と室外を連通するように、壁面または天井に設けられる風洞パイプに装着させる形状で内部にファンとモータが設けられる筒状部と、前記筒状部の室内側開口の外周に半径方向に張り出した略方形状に形成されたフランジ部を設けた本体枠とで構成し、前記モータの外郭の外周部に開口を設け、前記開口の内側に電源接続用の端子部を設け、前記端子部にコネクタを接続しモータに電源供給する換気装置において、前記開口は前記コネクタの挿入部に対して屋外側方向にのみ大きい隙間があり、前記挿入部には前記隙間を塞ぐ壁部を設け、前記壁部は前記開口の内側に配置したことを特徴とする換気装置。
【請求項２】
コネクタの屋外側面に開口を覆う屋根部を設け、前記屋根部は開口よりも円周方向に大きく、開口の屋外側でモータ外郭に密着することを特徴とする請求項１に記載の換気装置。
【請求項３】
コネクタをカバーとハウジングで構成し、屋根部を前記カバーに設けたことを特徴とする請求項１または２に記載の換気装置。
【請求項４】
屋根部の幅寸法はモータ外郭に密着するフランジ部のみが開口の幅寸法より大きく、その他の部分はハウジングの幅寸法より小さく、壁部の幅寸法より大きいことを特徴とする請求項２または３に記載の換気装置。
【発明の詳細な説明】
【技術分野】
【０００１】
本発明は、羽根を回転駆動するためのモータと、モータに電源供給を行うための接続コネクタを備えた換気装置に関するものである。
【背景技術】
【０００２】
従来、この種の換気装置は、羽根を回転駆動するためのモータに電源接続用の端子を備え、その端子に電源供給のためのコネクタを接続することでモータに電源供給し、また、内部に浸入した水を排出するための水抜き構造がモータに配置されたものが知られている（例えば、特許文献１参照）。
【０００３】
以下、その換気装置について図７および図８を参照しながら説明する。
【０００４】
図７に示すように、羽根１０１とモータ１０２とが内部に設けられる換気扇本体１０３とからなり、モータ１０２に電源接続用の端子部１０４を備え、端子部１０４と一般的に用いられている電源供給用のコネクタ１０５とが接続されることにより、モータ１０２に電源が供給され、モータ１０２に固定された羽根１０１が回転することとなる。
【０００５】
また、モータ１０２は内部に浸入した水を外部に排出するための一般的には水抜き穴１０６を設けているものである。
【０００６】
また、図８に示すように、一般的にはモータ１０２に端子部１０４の前方に位置する開口１０７を設けており、この開口１０７を上方から覆う形状で、コネクタ１０５に壁部１０８を設けているものである。
【先行技術文献】
【特許文献】
【０００７】
【特許文献１】特開平１１−３３７１４５号公報
【発明の概要】
【発明が解決しようとする課題】
【０００８】
このような従来の換気装置においては、モータ内部への埃等の浸入を防ぐために、コネクタでモータ外郭に設けられた開口部を外側から覆っていたが、その場合、モータ外郭とコネクタとの隙間からモータ内部に水が浸入する恐れあるため、安全性を保つために水抜き穴を設けていた。
【０００９】
しかし、水抜き穴から埃などの異物が浸入することにより、異常な音の発生等の恐れがあるという課題を有していた。
【００１０】
そこで本発明は、上記従来の課題を解決するものであり、モータ内部への水の浸入を防ぐことで水抜き穴をなくし異常な音の発生等を防止することができる換気装置を提供することを目的とする。
【課題を解決するための手段】
【００１１】
そして、この目的を達成するために、本発明は、室内と室外を連通するように、壁面または天井に設けられる風洞パイプに装着させる形状で内部にファンとモータが設けられる筒状部と、前記筒状部の室内側開口の外周に半径方向に張り出した略方形状に形成されたフランジ部を設けた本体枠とで構成し、前記モータの外郭の外周部に開口を設け、前記開口の内側に電源接続用の端子部を設け、前記端子部にコネクタを接続しモータに電源供給する換気装置において、前記開口は前記コネクタの挿入部に対して屋外側方向にのみ大きい隙間があり、前記挿入部には前記隙間を塞ぐ壁部を設け、前記壁部は前記開口の内側に配置したこととしたものであり、これにより所期の目的を達成するものである。
【発明の効果】
【００１２】
本発明によれば、室内と室外を連通するように、壁面または天井に設けられる風洞パイプに装着させる形状で内部にファンとモータが設けられる筒状部と、前記筒状部の室内側開口の外周に半径方向に張り出した略方形状に形成されたフランジ部を設けた本体枠とで構成し、前記モータの外郭の外周部に開口を設け、前記開口の内側に電源接続用の端子部を設け、前記端子部にコネクタを接続しモータに電源供給する換気装置において、前記開口は前記コネクタの挿入部に対して屋外側方向にのみ大きい隙間があり、前記挿入部には前記隙間を塞ぐ壁部を設け、前記壁部は前記開口の内側に配置する、という構成にしたことにより、上方からモータ外郭を伝ってきた水が壁部に接してせき止めるため、モータ内部への水の浸入を防ぎモータの水抜き穴を抹消することとなるので、水抜き穴からのモータ内部への埃等の異物の浸入を防止するという効果を得ることができる。
【図面の簡単な説明】
【００１３】
【図１】本発明の実施の形態１の換気装置の構成を示す分解図
【図２】同換気装置のモータとコネクタとの配置を示す側面断面図
【図３】同換気装置のコネクタの構成を示す側面断面図
【図４】同換気装置のコネクタの構成を示す平面断面図
【図５】同換気装置のコネクタのハウジングとカバーとの大きさを示す平面図
【図６】同換気装置のコネクタのハウジングとカバーとの形状を示す斜視図
【図７】同換気装置のハウジングの形状を示す斜視図
【図８】従来の換気装置の構成を示す分解図
【図９】同換気装置のモータとコネクタの配置を示す側面断面図
【発明を実施するための形態】
【００１４】
本発明の請求項１記載の換気装置は、室内と室外を連通するように、壁面または天井に設けられる風洞パイプに装着させる形状で内部にファンとモータが設けられる筒状部と、前記筒状部の室内側開口の外周に半径方向に張り出した略方形状に形成されたフランジ部を設けた本体枠とで構成し、前記モータの外郭の外周部に開口を設け、前記開口の内側に電源接続用の端子部を設け、前記端子部にコネクタを接続しモータに電源供給する換気装置において、前記開口は前記コネクタの挿入部に対して屋外側方向にのみ大きい隙間があり、前記挿入部には前記隙間を塞ぐ壁部を設け、前記壁部は前記開口の内側に配置するという構成を有する。これにより、上方からモータ外郭を伝ってきた水が壁部に接してせき止めるため、モータ内部への水の浸入を防ぎ、モータの水抜き構造を抹消できることとなるので、水抜き構造からのモータ内部への埃等の異物の浸入を防止することが出来る、という効果を奏する。
【００１５】
また、コネクタの屋外側面に開口を覆う屋根部を設け、前記屋根部は開口よりも円周方向に大きく、開口の屋外側でモータ外郭に密着するという構成にしてもよい。これにより、コネクタを前記端子部に接続し、開口部の上方でコネクタがモータの外郭と接することとなるので、よりモータ内部への異物の侵入を防ぎ異常な音の発生等を防止することができる、という効果を奏する。
【００１６】
また、コネクタをカバーとハウジングで構成し、屋根部を前記カバーに設けたという構成にしてもよい。これにより、カバーに屋根部を設けることで、カバーとハウジングが容易に成形できることとなるので、品質の安定した製品を提供できる、という効果を奏する。
【００１７】
また、屋根部の幅寸法はモータ外郭に密着するフランジ部のみが開口の幅寸法より大きく、その他の部分はハウジングの幅寸法より小さく、壁部の幅寸法より大きいという構成にしてもよい。これにより、メンテナンスでコネクタを取り外す際、カバーを持って取外さないのでカバーが破損することがなく、メンテナンス時に充電部が露出することが無い安全性の高い換気扇を提供できる、という効果を奏する。
【００１８】
以下、本発明の実施の形態について図面を参照しながら説明する。
【００１９】
（実施の形態１）
図１に示すように、本体枠１は内部にプロペラ式のファン２とモータ３とが設けられる筒状部４と、筒状部４の室内側開口５の外周に半径方向に張り出した略方形状に形成された本体フランジ部６によって構成され、モータ３はネジ止め部１０にて本体枠１にネジを用いて共締めして固定される構成とし、モータ３は内部に電源接続用の端子部７と、端子部７の前方に開口８を設け、コネクタ９を端子部７と接続することで、モータ３に電源供給される構成とする。
【００２０】
また、図２に示すように、開口８にはコネクタ９の挿入部１１に対して屋外方向に大きい隙間１２があり、挿入部１１には隙間１２を塞ぐ壁部１３を備え、壁部１３はモータ外郭１４より内側に配置するように構成される。
【００２１】
また、壁部１３は壁部外郭１３ａがモータ外郭内側１４ａと同じ平面上になるように配置されても良い。
【００２２】
また、コネクタ９は開口８の屋外側面で開口８を覆う屋根部１５を設け、屋根部１５は開口８よりも円周方向に大きく、開口８の屋外側でモータ外郭１４に密着する構成とする。
【００２３】
また、屋根部１５がモータ３の外側に向けて下りの勾配を備える構成としてもよい。
【００２４】
また、図３および図４に示すように、コネクタ９はモータ３に近い側に配置されるハウジング１６と、ハウジング１６の外周側に位置するカバー１７によって構成し、屋根部１５をカバー１７に備えるという構成にしてもよい。
【００２５】
また、図４に示すように、カバー１７に備えた凸形状の係合部１８がハウジング１６の内部に備えた凹形状の係止部１９に嵌め込まれることによって固定される構成とする。
【００２６】
なお、図４では係止部１９を穴形状としたが、係合部１８が嵌め込まれる形状ならどんな構造でもよい。
【００２７】
また、図５および図６に示すように、屋根部１５をモータ外郭１４に密着するフランジ部２０とその他の部分で構成し、フランジ部２０の幅寸法Ａ２１が開口８の幅寸法Ｂ２２よりも大きい構成とし、その他の部分の幅寸法Ｃ２３がハウジング１６の幅寸法Ｄ２４よりも小さく、壁部の幅寸法Ｅ２５よりも大きくなっているという構成としてもよい。
【００２８】
また、図６に示すように、屋根部１５の両側に、下方に突出した側面カバー部２６を設け、側面カバー部２６がハウジング１６よりも上方にきている構成とする。
【００２９】
また、図７に示すように、ハウジング１６の天面２７に中心から両外側に下方へ向けた傾斜を備えている構成とする。
【００３０】
このような構成によれば、モータ外郭１４を伝わって漏水等が滴下してきても、壁部１３がモータ外郭１４よりも内部にあることにより、滴下してきた水が壁部１３でせき止められ、モータ３の内部に浸入することを防止することができるため、モータの水抜き構造を抹消することができ、埃等異物の浸入を防ぐことができる。
【００３１】
また、開口８と壁部１３のクリアランスを出来るだけ小さくすることで、モータ内部への埃の侵入を防ぐことが出来る。
【００３２】
また、開口８の屋外側に屋根部１５をモータ外郭１４に接する形で設けることにより、屋外側からの漏水等の滴下に対して、壁部１３と合わせて二重の安全構造となり、よりモータ３内部への浸入を防ぐことができ、また、開口８からの埃等の異物の浸入も防止することができる。
【００３３】
また、屋根部１５をモータ３の外側に向けて傾斜を設けることにより、上方からの漏水等が、屋根部１５上に滞留することを防止し、開口８への水の浸入をより防ぐことができる。
【００３４】
また、コネクタ９をハウジング１６とカバー１７で構成し、屋根部１５をカバー１７に設けたことにより、カバー１７とハウジング１６が容易に成形できることとなり、品質の安定した製品を提供できる。
【００３５】
また、ハウジング１６の内部に係止部１９を設けることにより、モータ３の外周側へ突出しなくコンパクトな形状にすることができ、結果、風の通る風路を邪魔するコネクタ９の突出を少なくすることにより性能の悪化を抑制することができる。
【００３６】
また、屋根部１５をモータ外郭１４に密着するフランジ部２０とその他の部分で構成し、フランジ部２０の幅寸法Ａ２１が開口８の幅寸法Ｂ２２よりも大きい構成とし、その他の部分の幅寸法Ｃ２３がハウジング１６の幅寸法Ｄ２４よりも小さく、壁部の幅寸法Ｅ２５よりも大きくすることで、例えばメンテナンス時にコネクタ９をモータ３から取り外す際に、カバー１７だけを保持してしまうことを防ぎ、容易にコネクタ９をモータ３から取り外すことができる。
【００３７】
また、屋根部１５の両側に側面カバー部２６を設けることにより、ハウジング１６とカバー１７とのクリアランスを小さくすることで、埃等の異物が浸入することを防ぎ、また、ハウジング１６と側面カバー部２６の間に隙間を設けることで、ハウジング１６とカバー１７の間に水が滞留してしまうことを防ぐことができ、モータ３内部への水の浸入を防止することができる。
【００３８】
また、ハウジング１６の天面２７に外側に向けた傾斜をつけることで、天面２７に水が滞留することを防ぐことで、モータ３内部への水の浸入を防止することができる。
【産業上の利用可能性】
【００３９】
本発明にかかる換気装置は、モータ内部への異物の侵入を防ぎ異常な音の発生等を防止することができることを可能とするものであるので、壁面または天井に設置され、屋外と連通するダクトに接続され、室内の換気を行う空気調和機等として有用である。
【符号の説明】
【００４０】
１      本体枠
２      ファン
３      モータ
４      筒状部
５      室内側開口
６      本体フランジ部
７      端子部
８      開口
９      コネクタ
１１    挿入部
１２    隙間
１３    壁部
１５    屋根部
１６    ハウジング
１７    カバー
２１    幅寸法Ａ
２２    幅寸法Ｂ
２３    幅寸法Ｃ
２４    幅寸法Ｄ
２５    幅寸法Ｅ
【図１】
2015187531.tif 000003
【図２】
2015187531.tif 000004
【図３】
2015187531.tif 000005
【図４】
2015187531.tif 000006
【図５】
2015187531.tif 000007
【図６】
2015187531.tif 000008
【図７】
2015187531.tif 000009
【図８】
2015187531.tif 000010
【図９】
2015187531.tif 000011